(57)【特許請求の範囲】
【請求項１】
上位ユーザからの切替制御コマンドを受信する管理部と、
前記切替制御コマンドと切替制御状態を応答する上位インタフェース部と、
前記切替制御状態のマップを管理するマップ管理部と、
前記管理部と前記切替制御状態のマップの送受信を行い、ｎ：１（但し、ｎは１以上の正の整数）の切替制御を実行する信号処理部とを有して構成され、
個別に自律的な切替制御の実行を可能とし、
前記切替制御状態が初期化された際に、自動的にもとの切替制御状態に戻すこととしたことを特徴とする切替制御装置。
【請求項２】
前記上位ユーザからのコマンドに基づき前記ｎ個の複数の信号から任意の一つの信号を切替えて使用する前記切替制御を、独立に実行可能としたことを特徴とする請求項１記載の切替制御装置。
【請求項３】
前記上位ユーザが前記切替制御状態を読み出し可能としたことを特徴とする請求項１または２記載の切替制御装置。
【請求項４】
管理部が上位ユーザからの切替制御コマンドを受信し、
上位インタフェース部が前記切替制御コマンドと切替制御状態を応答し、
マップ管理部が前記切替制御状態のマップを管理し、
信号処理部が前記管理部と前記切替制御状態のマップの送受信を行い、ｎ：１（但し、ｎは１以上の正の整数）の切替制御を実行し、
個別に自律的な切替制御の実行を可能とし、
前記切替制御状態が初期化された際に、自動的にもとの切替制御状態に戻すこととしたことを特徴とする切替制御方法。
【請求項５】
前記上位ユーザからのコマンドに基づき前記ｎ個の複数の信号から、任意の一つの信号を切替えて使用する切替制御を、独立に実行可能としたことを特徴とする請求項４記載の切替制御方法。
【請求項６】
前記上位ユーザが前記切替制御状態を読み出し可能としたことを特徴とする請求項４または５記載の切替制御方法。
【発明の詳細な説明】
【０００１】
【発明の属する技術分野】
本発明は、切替制御装置および切替制御方法に関し、特に、一つの伝送装置内に切替機能を有する機能部が複数個存在する場合の、切替制御とその制御情報バックアップに係わる切替制御装置および切替制御方法に関する。
【０００２】
【従来の技術】
従来、切替制御装置および切替制御方法は、たとえば、実行可否を判定する機能を有して構成される。図３は、従来の切替制御装置および切替制御方法と切替状態バックアップの一例を示すブロック図である。本従来例に適用される切替制御バックアップ装置は、管理部２０と信号処理部５０が相互に接続されて構成される。これらの管理部２０は上位インタフェース部２、下位インタフェース部４、切替判定部１２、バックアップ部１３を備え、信号処理部５０ａ、５０ｂ、・・、５０ｍは切替部７を備えて、それぞれが構成される。なお、管理部２０に対して、この管理部２０と接続される信号処理部５０ａ、５０ｂ、・・、５０ｍは、複数チャネルが存する。
【０００３】
管理部２０は、上位ユーザからの切替制御コマンドを受信し、切替制御コマンドの応答と切替制御状態を応答する上位インタフェース部２と、切替制御状態マップを管理する切替判定部１２と、バックアップ部１３と、ｍ個の信号処理部５０ａ、５０ｂ、・・、５０ｍとのインタフェースを行う下位インタフェース部４から構成される。
【０００４】
図３に示す従来例において、ｍ個の信号処理部５０ａ、５０ｂ、・・、５０ｍの各々は、ｎ本の信号から任意の１本の信号を選択する機能を有し、選択先に障害が発生すると自動的に障害のない信号を選択する機能を有する。また、上位ユーザは、管理部へ切替制御コマンドにより切替制御を実行することと、現在の切替選択状態を読み出すことが可能である。なお、切替制御コマンドは、切替先に警報が発生していない場合に実行可能である。管理部２０は、各信号処理部５０ａ、５０ｂ、・・、５０ｍからの警報状態を収集し、上位ユーザより実行される切替制御コマンドの実行可否を判定する切替判定部１２と、切替制御状態をバックアップする機能を有する。
【０００５】
切替判定部１２は、上位ユーザより切替制御コマンドが実行されると、収集されている警報状態を元に切替制御の可否を判定し、切替制御が可能つまり障害が発生していない場合は、信号処理部５０ａ、５０ｂ、・・、５０ｍに切替制御を実行する。同時に、上位ユーザに対して切替制御コマンドの応答と、切替選択状態を報告する。また、切替制御後に対象切替先に障害が発生した場合は、切替部７を解除し上位ユーザに切替選択状態の変更を通知する。また、バックアップされている切替制御情報を使用し、切替制御状態を復元することが可能である。
【０００６】
【発明が解決しようとする課題】
しかしながら、上述した従来のシステムでは、次のような幾つかの問題点がある。
第１の問題点は、上位ユーザからの切替制御コマンドの実行可否を判断するために、常時各信号処理部５０ａ、５０ｂ、・・、５０ｍの動作状態を監視する必要がある。
【０００７】
第２の問題点は、管理部２０においてすべての信号処理部５０ａ、５０ｂ、・・、５０ｍの切替制御の可否判定を行う必要がある。
【０００８】
第３の問題点は、管理部２０においてすべての信号処理部５０ａ、５０ｂ、・・、５０ｍの切替制御状態を上位ユーザが読み出すことが可能にしておく必要があり、そのために切替状態を収集および管理しておく必要がある。
【０００９】
第４の問題点は、管理部２０においてすべての信号処理部５０ａ、５０ｂ、・・、５０ｍの切替制御のバックアップを行うための部位が必要である。
【００１０】
本発明は、管理部における切替制御とバックアップの簡略化をすることが可能となる切替制御のバックアップ方式に係わる、切替制御装置および切替制御方法を提供することを目的とする。より詳細には、本発明は、上位ユーザからの切替制御コマンドの、切替制御の可否判定を各信号処理部で行い、その結果を管理部に通知することによって、管理部における切替制御とバックアップの簡略化をすることが可能となる、切替制御装置および切替制御方法を提供することを目的とする。
【００１１】
【課題を解決するための手段】
かかる目的を達成するため、本発明の切替制御装置は、上位ユーザからの切替制御コマンドを受信する管理部と、切替制御コマンドと切替制御状態を応答する上位インタフェース部と、切替制御状態のマップを管理するマップ管理部と、管理部と切替制御状態のマップの送受信を行い、ｎ：１（但し、ｎは１以上の正の整数）の切替制御を実行する信号処理部とを有して構成され、個別に自律的な切替制御の実行を可能としたことを特徴としている。
【００１２】
また、上記の上位ユーザからのコマンドに基づきｎ個の複数の信号から、任意の一つの信号を切替えて使用する切替制御を独立に実行し、上位ユーザが切替制御状態を読み出し、切替制御状態が初期化された際に、自動的にもとの切替制御状態に戻すこととするとよい。
【００１３】
本発明の切替制御方法は、管理部が上位ユーザからの切替制御コマンドを受信し、上位インタフェース部が切替制御コマンドと切替制御状態を応答し、マップ管理部が切替制御状態のマップを管理し、信号処理部が管理部と切替制御状態のマップの送受信を行い、ｎ：１（但し、ｎは１以上の正の整数）の切替制御を実行し、個別に自律的な切替制御の実行を可能としたことを特徴としている。
【００１４】
また、上記の上位ユーザからのコマンドに基づきｎ個の複数の信号から、任意の一つの信号を切替えて使用する切替制御を独立に実行し、上位ユーザが切替制御状態を読み出し、切替制御状態が初期化された際に、自動的にもとの切替制御状態に戻すこととするとよい。
【００１５】
【発明の実施の形態】
次に、添付図面を参照して本発明による切替制御装置および切替制御方法の実施の形態を詳細に説明する。図１および図２を参照すると、本発明の切替制御装置および切替制御方法の一実施形態が示されている。次に、本発明の実施の形態について図面を参照して詳細に説明する。
【００１６】
図１には、本発明の一実施の形態としての切替制御装置および切替制御方法が示されている。本実施形態に適用される切替制御装置は、管理部１と信号処理部５とで構成される。これらの管理部１は、上位インタフェース部２、下位インタフェース部４、マップ管理部３の各部を備える。信号処理部５は、管理部インタフェース部６、切替部７を備えて構成される。なお、管理部１に対してｍチャネルの信号処理部５ａ、５ｂ、・・、５ｍが接続される。
【００１７】
管理部１は、上位ユーザからの切替制御コマンドを受信し、切替制御コマンドの応答と切替制御状態を応答する上位インタフェース部２と、切替制御状態マップを管理するマップ管理部３、ｍ個の信号処理部５ａ、５ｂ、・・、５ｍとのインタフェースを行う下位インタフェース部４とから構成される。
【００１８】
信号処理部５ａ、５ｂ、・・、５ｍの各々は、管理部１と切替制御状態マップの送受信を行う管理部インタフェース部６と、ｎ：１の切替制御を実行する切替部７とから構成される。
【００１９】
図２に、切替制御状態マップの構成の一例を示す。
本実施形態に適用される切替制御状態マップは、アドレス情報８、コマンド情報９、種別情報１０、切替先情報１１を有して構成される。
【００２０】
アドレス情報８は、信号処理部５ａ、５ｂ、・・、５ｍのアドレスを示す。
コマンド情報９は、「実行」か、「応答(ＯＫ／ＮＧ)」か、「自律」かを示す。
種別情報１０は、切替制御コマンドの種別、「手動切替」か「切替解除」か「自律切替」かを示す。
切替先情報１１は、「切替先」もしくは「切替解除先」、または「現在の選択系」を示す。
【００２１】
次に、図１を使用して切替制御装置および切替制御方法の動作の詳細について以下に説明する。
上位ユーザから信号処理部５ａに対して、信号１から信号ｎへの手動切替実行の切替制御コマンドが実行された場合、管理部１では上位ユーザからの切替制御コマンドを上位インタフェース部２で受信し、マップ管理部３において受信コマンドを切替制御状態マップに変換する。このとき、切替制御状態マップのコマンド情報９は、コマンド実行を示す「実行」である。種別情報１０は、コマンド切替を示す「手動切替」である。切替先情報１１は、切替先「ｎ」を示す情報である。
【００２２】
次に、下位インタフェース部４より信号処理部５ａ、５ｂ、・・、５ｍへ、切替制御状態マップを送信する。
信号処理部５ａ、５ｂ、・・、５ｍの管理部インタフェース部６では、受信した切替制御マップのアドレス情報８を参照し、自己の信号処理部を示すアドレスであれば切替制御状態マップに示されている切替制御を切替部７に対して実行する。アドレス情報８が自アドレスを示していない場合、管理部インタフェース部６は何もしない。
【００２３】
次に管理部インタフェース部６は、切替部７での制御結果を切替制御マップへ反映し、管理部１へ送信する。このとき、切替制御が正常に行われていれば、切替制御状態マップにおけるコマンド情報９は、切替正常終了を示す「応答（ＯＫ）」である。種別情報１０は、制御状態を示す「手動切替」である。切替先情報１１は、現在の選択系「ｎ」を示す。また、信号ｎに障害が発生しているため切替制御が実行できなかった場合、切替制御状態マップにおけるコマンド情報９は、「応答（ＮＧ）」を示す。種別情報１０は、「自動切替」を示す。切替先情報１１は、切替先「１」を示す。
【００２４】
下位インタフェース部４は、信号処理部５ａから切替制御状態マップを受信すると、マップ管理部３において切替制御状態マップからコマンド実行結果と現在の切替制御状態を、上位インタフェース部４より上位ユーザへ報告を行う。同時にマップ管理部３では、信号処理部５ａの切替制御バックアップ情報として切替制御状態マップを保存する。
【００２５】
上位ユーザからの切替制御解除コマンド実行の場合も、同様な処理を行い切替制御を解除する。
また、信号処理部５ａの信号ｎに障害が発生し、切替制御状態が自動的に解除され信号１に切替が発生した場合は、管理部インタフェース部６において自律的に切替制御状態マップを更新し、管理部１へ送信する。この場合、切替制御状態マップにおけるコマンド情報９は、「自律」を示す。種別情報１０は、「自律切替」を示す。切替先情報１１は、切替先「１」を示す。
【００２６】
下位インタフェース部４は、信号処理部５ａから切替制御状態マップを受信すると、マップ管理部３においてコマンド制御の自律解除と現在の切替制御状態を、上位インタフェース部２より上位ユーザへ報告を行う。同時にマップ管理部３では、信号処理部５ａにおける切替制御状態マップを保存する。
【００２７】
次に、任意の信号処理部５ａ〜５ｍにおいて、電源断や交換作業による切替制御の復元方法について記述する。
管理部１において、任意の信号処理部５ａ〜５ｍの電源断や交換作業による初期立ち上げ処理の要求を認識すると、マップ管理部３に保存してある切替制御状態マップを、コマンド情報９は「実行」として信号処理部５ａ〜５ｍへ送信し、電源断や交換作業発生前の制御状態を復元することが可能である。
【００２８】
なお、上述の実施形態は本発明の好適な実施の一例である。ただし、これに限定されるものではなく、本発明の要旨を逸脱しない範囲内において種々変形実施が可能である。
【００２９】
上記の実施形態により得られる効果は、信号処理部の切替制御を管理する上で、管理部において、すべての信号処理部の切替可否判定を行う必要がなく、切替制御状態のバックアップのために専用のバックアップ領域を設ける必要がなくなる。
【００３０】
その第一の理由は、切替制御状態マップを用い切替制御の可否判定を各信号処理部において実現したことによる、管理部における複数の切替制御の可否判定処理の削除が可能となったことによる。
【００３１】
第二の理由は、管理部と各信号処理部間で、切替制御指示、切替制御応答、および切替制御状態を示す切替制御状態マップを共用できるため、切替制御マップを管理することにより、上位ユーザへの切替状態の報告用、および、切替制御状態復元用のバックアップ用のデータを共有化することが可能となったことによる。
【００３２】
【発明の効果】
以上の説明より明らかなように、本発明の切替制御装置および切替制御方法は、上位ユーザからの切替制御コマンドを受信し、切替制御コマンドの応答と切替制御状態を応答し、切替制御状態のマップを管理し、切替制御状態のマップの送受信を行い、ｎ：１（但し、ｎは１以上の正の整数）の切替制御を実行し、個別に自律的な切替制御を実行可能としている。これにより、切替制御を管理する上で、すべての信号処理部の切替可否判定を、管理部において行う必要がない。また、切替制御状態のバックアップのために、専用のバックアップ領域を設ける必要がない。
【図面の簡単な説明】
【図１】  本発明の切替制御装置および切替制御方法の実施形態を示すブロック構成図である。
【図２】  切替制御状態マップの構成例を示す図である。
【図３】  従来の切替制御装置および切替制御方法の構成例を示すブロック図である。
【符号の説明】
１  管理部
２  上位インタフェース部
３  マップ管理部
４  下位インタフェース部
５ａ、５ｂ、・・、５ｍ  信号処理部
６  管理部インタフェース部
７  切替部
８  アドレス情報
９  コマンド情報
１０  種別情報
１１  切替先情報
１２  切替判定部
１３  バックアップ部
【図１】
0004042470.tif 000002
【図２】
0004042470.tif 000003
【図３】
0004042470.tif 000004